【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
符号化されたビデオデータのビットストリームを受信するステップであって、前記符号化されたビデオデータが区分された輝度ブロックおよび区分された色差ブロックを表し、前記色差ブロックが前記輝度ブロックとは独立に区分される、ステップと、
それぞれの区分された輝度ブロックに対応するそれぞれのコーディングモードを決定するステップと、
前記決定されたそれぞれのコーディングモードに従って、前記それぞれの区分された輝度ブロックを復号するステップと、
前記それぞれの区分された輝度ブロックと関連付けられる前記それぞれのコーディングモードが第1の区分された色差ブロックを復号するために使用されるべきであることを示す第1のシンタックス要素を復号するステップであって、前記第1の区分された色差ブロックが2つ以上の区分された輝度ブロックと揃う、ステップと、
第2のシンタックス要素を受信するステップと、
前記2つ以上の区分された輝度ブロックの前記それぞれのコーディングモードの関数に従って、前記第1の区分された色差ブロックの色差コーディングモードを決定するステップであって、前記関数が前記第2のシンタックス要素によって示される、ステップと、
前記決定された色差コーディングモードに従って、前記第1の区分された色差ブロックを復号するステップとを備える、方法。
【請求項２】
前記色差ブロックが、少なくとも1つの区分された色差ブロックが単一の区分された輝度ブロックと揃わないように、前記輝度ブロックとは独立に区分される、および/または、
情報が、色差予測のための直接モードの指示、予測方向、動き情報、場所に依存するイントラ予測組合せモードに対するフラグ、場所に依存するイントラ予測組合せモードに対する1つまたは複数のパラメータ、分離不能変換に対する1つまたは複数の第2の変換セット、増強複数変換、適応複数変換、または、エントロピーコーディングデータモデルを決定するための1つまたは複数のコンテキストのうちの1つまたは複数を含む、および/または、
前記それぞれの区分された輝度ブロックに対応する前記それぞれのコーディングモードを決定するステップが、
前記それぞれの区分された輝度ブロックに対応する第3のシンタックス要素を受信するステップであって、前記第3のシンタックス要素が前記それぞれのコーディングモードを示す、ステップと、
前記それぞれのコーディングモードを決定するために、前記それぞれの区分された輝度ブロックに対応する前記第3のシンタックス要素を復号するステップとを備える、請求項1に記載の方法。
【請求項３】
ワイヤレス通信デバイス上で実行可能であり、前記デバイスが、
前記符号化されたビデオデータを記憶するように構成されるメモリと、
前記メモリに記憶されている前記符号化されたビデオデータを処理するための命令を実行するように構成されるプロセッサと、
符号化されたビデオデータの前記ビットストリームを受信するように構成される受信機とを備え、
前記ワイヤレス通信デバイスが移動局であり、符号化されたビデオデータの前記ビットストリームが前記受信機によって受信され、セルラー通信規格に従って変調される、請求項1に記載の方法。
【請求項４】
ビデオデータを復号するように構成される装置であって、
符号化されたビデオデータのビットストリームを記憶するように構成されるメモリと、
1つまたは複数のプロセッサとを備え、前記1つまたは複数のプロセッサが、
符号化されたビデオデータの前記ビットストリームを受信することであって、前記符号化されたビデオデータが区分された輝度ブロックおよび区分された色差ブロックを表し、前記色差ブロックが前記輝度ブロックとは独立に区分される、ことと、
それぞれの区分された輝度ブロックに対応するそれぞれのコーディングモードを決定することと、
前記決定されたそれぞれのコーディングモードに従って、前記それぞれの区分された輝度ブロックを復号することと、
前記それぞれの区分された輝度ブロックと関連付けられる前記それぞれのコーディングモードが第1の区分された色差ブロックを復号するために使用されるべきであることを示す第1のシンタックス要素を復号することであって、前記第1の区分された色差ブロックが2つ以上の区分された輝度ブロックと揃う、ことと、
第2のシンタックス要素を受信することと、
前記2つ以上の区分された輝度ブロックの前記それぞれのコーディングモードの関数に従って、前記第1の区分された色差ブロックの色差コーディングモードを決定することであって、前記関数が前記第2のシンタックス要素によって示される、ことと、
前記決定された色差コーディングモードに従って、前記第1の区分された色差ブロックを復号することと
を行うように構成される、装置。
【請求項５】
前記色差ブロックが、少なくとも1つの区分された色差ブロックが単一の区分された輝度ブロックと揃わないように、前記輝度ブロックとは独立に区分される、および/または、
情報が、色差予測のための直接モードの指示、予測方向、動き情報、場所に依存するイントラ予測組合せモードに対するフラグ、場所に依存するイントラ予測組合せモードに対する1つまたは複数のパラメータ、分離不能変換に対する1つまたは複数の第2の変換セット、増強複数変換、適応複数変換、または、エントロピーコーディングデータモデルを決定するための1つまたは複数のコンテキストのうちの1つまたは複数を含む、請求項4に記載の装置。
【請求項６】
前記それぞれの区分された輝度ブロックに対応する前記それぞれのコーディングモードを決定するために、前記1つまたは複数のプロセッサがさらに、
前記それぞれの区分された輝度ブロックに対応する第3のシンタックス要素を受信することであって、前記第3のシンタックス要素が前記それぞれのコーディングモードを示す、ことと、
前記それぞれのコーディングモードを決定するために、前記それぞれの区分された輝度ブロックに対応する前記第3のシンタックス要素を復号することとを行うように構成される、請求項4に記載の装置。
【請求項７】
前記それぞれの区分された輝度ブロックに対応する前記それぞれのコーディングモードを決定するために、前記1つまたは複数のプロセッサがさらに、
前記それぞれの区分された輝度ブロックの1つまたは複数の代表的な位置から1つまたは複数のそれぞれのコーディングモードを選択するように構成される、請求項4に記載の装置。
【請求項８】
前記1つまたは複数のそれぞれのコーディングモードを選択するために、前記1つまたは複数のプロセッサがさらに、前記関数に従って前記1つまたは複数のそれぞれのコーディングモードを選択するように構成される、または、
前記1つまたは複数の代表的な位置が前記それぞれの区分された輝度ブロックの中心の代表的な位置を含み、前記関数に従って前記第1の区分された色差ブロックの前記色差コーディングモードを決定するために、前記1つまたは複数のプロセッサがさらに、前記中心の代表的な位置のために記憶されている前記決定されたそれぞれのコーディングモードを示す情報を取得するように構成される、または、
前記1つまたは複数の代表的な位置が前記それぞれの区分された輝度ブロックの角の代表的な位置を含み、前記関数に従って前記第1の区分された色差ブロックの前記色差コーディングモードを決定するために、前記1つまたは複数のプロセッサがさらに、前記角の代表的な位置のために記憶されている前記決定されたそれぞれのコーディングモードを示す情報を取得するように構成される、および/または、
前記1つまたは複数の代表的な位置が1つまたは複数のサブブロックを備える、
請求項7に記載の装置。
【請求項９】
前記1つまたは複数のプロセッサがさらに、
前記それぞれの区分された輝度ブロックをそれぞれのサブブロックへと分けることと、
前記決定されたそれぞれのコーディングモードを示す情報を、前記それぞれのサブブロックと関連付けられるそれぞれのメモリ位置に記憶することとを行うように構成される、請求項4に記載の装置。
【請求項１０】
前記関数が、前記2つ以上の区分された輝度ブロックの1つまたは複数のそれぞれのサブブロックの位置を含む、または、
前記関数が、前記それぞれのサブブロックと関連付けられるそれぞれのメモリ位置における、前記決定されたそれぞれのコーディングモードを示す前記情報の統計的分析を含む、請求項9に記載の装置。
【請求項１１】
前記関数が、前記2つ以上の区分された輝度ブロックの1つまたは複数のそれぞれのサブブロックの位置を含み、かつ前記1つまたは複数のそれぞれのサブブロックの前記位置が前記2つ以上の区分された輝度ブロックの中心のサブブロックであり、前記関数に従って前記第1の区分された色差ブロックの前記色差コーディングモードを決定するために、前記1つまたは複数のプロセッサがさらに、前記中心のサブブロックのために記憶されている前記決定されたそれぞれのコーディングモードを示す情報を取得するように構成される、または、
前記関数が、前記2つ以上の区分された輝度ブロックの1つまたは複数のそれぞれのサブブロックの位置を含み、かつ前記1つまたは複数のそれぞれのサブブロックの前記位置が前記2つ以上の区分された輝度ブロックの角のサブブロックであり、前記関数に従って前記第1の区分された色差ブロックの前記色差コーディングモードを決定するために、前記1つまたは複数のプロセッサがさらに、前記角のサブブロックのために記憶されている前記決定されたそれぞれのコーディングモードを示す情報を取得するように構成される、請求項4に記載の装置。
【請求項１２】
前記関数が、前記それぞれのサブブロックと関連付けられるそれぞれのメモリ位置における、前記決定されたそれぞれのコーディングモードを示す前記情報の統計的分析を含む、または、
前記関数が、前記それぞれのサブブロックと関連付けられるそれぞれのメモリ位置における、前記決定されたそれぞれのコーディングモードを示す前記情報の統計的分析を含み、かつ前記関数に従って前記第1の区分された色差ブロックの前記色差コーディングモードを決定するために、前記1つまたは複数のプロセッサがさらに、勾配またはより高次の導関数のうちの1つを使用して、前記それぞれのメモリ位置に記憶されている前記情報を分析するように構成される、請求項9に記載の装置。
【請求項１３】
ワイヤレス通信デバイスであり、
符号化された前記ビットストリームを受信するように構成される受信機をさらに備える、請求項4に記載の装置。
【請求項１４】
前記ワイヤレス通信デバイスが移動局であり、符号化されたビデオデータの前記ビットストリームが前記受信機によって受信され、セルラー通信規格に従って変調される、請求項13に記載の装置。
【請求項１５】
命令を記憶した非一時的コンピュータ可読記憶媒体であって、前記命令が、実行されると、ビデオデータを復号するように構成される1つまたは複数のプロセッサに、請求項１〜３のいずれか一項に記載の方法を実行させる非一時的コンピュータ可読記憶媒体。